(57)【要約】【課題】  簡易点灯検査回路を有する表示装置において、製造工程の増加がなく、簡易点灯検査回路の幅の小さい具体的な層構成を提供する。【解決手段】  映像信号配線２側の簡易点灯検査回路７０は、原色毎に映像信号配線２に対応する簡易点灯検査用薄膜トランジスタ７３の入力側配線６３のそれぞれを共通に接続する簡易点灯検査用共通配線７４を有し、簡易点灯検査用共通配線７４の少なくとも１本は、画素電極４を構成する層、またはその一部の層で形成され、入力側配線６３上の保護絶縁膜８に設けられたコンタクトホール７８を介して直接に接続される構造である。【選択図】  図２
2010102237.tif 000002
【特許請求の範囲】
【請求項１】
絶縁基板上に、複数の走査配線と、これに交差する複数の映像信号配線と、
前記走査配線および前記映像信号配線に囲まれた領域からなり、薄膜トランジスタと画素電極とを有する画素と、
この画素がマトリクス状に配置された表示領域と、
この表示領域外側の前記絶縁基板上の額縁領域に簡易点灯検査回路とを有し、
この簡易点灯検査回路は、前記走査配線および前記映像信号配線のそれぞれに接続された簡易点灯検査用薄膜トランジスタを介して、複数の前記走査配線および前記映像信号配線のそれぞれに、所定の群で共通に接続する簡易点灯検査用共通配線とを有しており、
この簡易点灯検査用共通配線の少なくとも1本は、
前記映像信号配線よりも上層に絶縁膜を介して配置される前記画素電極を構成する層、またはその一部の層を有すると共に、
前記走査配線または前記映像信号配線に前記簡易点灯検査用薄膜トランジスタを介して検査信号を供給する入力側配線と、この入力側配線上の前記絶縁膜に設けられたコンタクトホールを介して直接に接続されていることを特徴とする表示装置。
【請求項２】
前記絶縁基板の端部に近い、最も外側の前記簡易点灯検査用共通引き出し配線は、前記入力側配線を延在した同一層であることを特徴とする請求項１に記載の表示装置。
【請求項３】
前記絶縁基板の端部に近い、最も外側以外の前記簡易点灯検査用共通引き出し配線は、前記画素電極を構成する層、またはその一部の層を有することを特徴とする請求項１または請求項２に記載の表示装置。
【請求項４】
前記簡易点灯検査回路の少なくとも一部分は、前記絶縁基板上に直接実装される駆動回路素子の直下に重畳して配置されることを特徴とする請求項１乃至請求項３のいずれかに記載の表示装置。
【請求項５】
前記簡易点灯検査用共通配線の少なくとも一本は、表面が酸化物導電膜であることを特徴とする請求項１乃至請求項４のいずれかに記載の表示装置。
【発明の詳細な説明】
【技術分野】
【０００１】
本発明は、表示装置に関するもので、特に、表示装置の表示パネルに駆動回路素子（ドライバチップ）を実装する前に、製品の良否を簡易点灯検査するために設けられる簡易点灯検査回路の具体的な層構成に関するものである。
【背景技術】
【０００２】
近年、表示装置は様々な機器において、観察者への情報表示手段として使用されている。現在の代表的な表示装置の主要部分（外部回路、筐体等を除いた表示領域を有する部分）は、従来の主流であったブラウン管に代わって、液晶、プラズマ、エレクトロルミネッセンス（ＥＬ：Ｅｌｅｃｔｒｏ  Ｌｕｍｉｎｅｓｃｅｎｃｅ）、ＦＥＤ（Ｆｉｅｌｄ  Ｅｍｉｓｓｉｏｎ  Ｄｉｓｐｌａｙ）等を利用した新しい表示パネルが主流になっている。これらの新しい表示パネルは、表示領域に画像を形成する基本単位である画素がマトリクス状に複数配置されており、一般に、表示領域は平面(フラット)である。また、表示装置の厚さが薄くできる方式でもある。これらの新しい表示装置は、総称してフラットパネルディスプレイとも呼ばれている。
【０００３】
現在、最も代表的な表示装置である液晶表示装置を例にすると、製造工程における歩留りの観点から、走査配線、映像信号配線、薄膜トランジスタ、および画素電極等が形成されたアレイ基板と、これに対向する対向基板を数μｍ程度の隙間を空けて貼り合せた後に、この隙間に液晶が注入された液晶パネルの歩留りが特に重要である。その良否をなるべく早い段階で判断することが望まれる。特に、高価な駆動回路素子を実装する前に検査することが有効である。
【０００４】
一般に、駆動回路素子を実装する前の液晶パネルの各信号端子に検査針を当てて検査信号を入力して、実際に表示領域に画像を表示させて、目視検査等によって走査配線や映像信号配線の短絡、断線、画素欠陥、表示ムラ、または異物等の有無を判断する点灯検査を行うことが行われている。
【０００５】
しかし、点灯検査として、全信号端子に個別に検査針を当てて検査する方法では、検査針数が走査配線数と映像信号配線数を足した本数程度になり、非常に多数本になって、検査針のコストが非常にかかる。特に、携帯電話用等の小型パネルでは、低コスト化の要求が厳しいので、検査コストの制約が厳しい。また、携帯電話用等の小型パネルでは、表示領域の高精細化による画素の狭ピッチ化により、信号端子のピッチ、大きさも次第に小さくなっており、全信号端子に検査針を１回の位置合わせで、正確に当てることが困難になっている。
【０００６】
上述のような課題を解決する方法として、例えば、特許文献１にアレイ基板に簡易点灯検査回路を形成した表示装置が開示されている。特許文献１では、映像信号配線（ドレイン線）の赤緑青（ＲＧＢ：Ｒｅｄ、Ｇｒｅｅｎ、Ｂｌｕｅ）単位で、簡易点灯検査用共通配線が設けられ、走査配線（ゲート線）や映像信号配線とは、簡易点灯検査用薄膜トランジスタ（検査用トランジスタ）を介して接続されている。そして、駆動回路素子（半導体チップ）を実装する前に、簡易点灯検査用薄膜トランジスタをＯＮ状態にして、ＲＧＢの色単位で、検査用信号を、簡易点灯検査用共通配線に接続された検査端子（検査用端子）より供給して、簡易点灯検査ができるようになっている。このような簡易点灯検査では、単純なべた状の画面程度しか表示できないため、詳細な点灯検査は困難であるが、走査配線や、映像信号配線の短絡、断線、画素欠陥、表示ムラ、または異物等を見つけることができる。これにより、駆動回路素子を実装する前に大まかな良否判断をすることができる。
【０００７】
なお、製品段階では、簡易点灯検査回路は切断して除去するか、簡易点灯検査回路を液晶表示装置に残す場合は、走査配線間や映像信号配線間の電気信号の干渉を防止するために、簡易点灯検査用薄膜トランジスタはＯＦＦ状態にしておく必要がある。
【０００８】
特許文献１では、駆動回路素子の直下の領域に、簡易点灯検査回路の検査端子を含めて重畳して配置しているので、簡易点灯検査回路による額縁領域の面積増加を小さくできるようになっている。
【０００９】
【特許文献１】特開２００４−１０１８６３号公報（図１、３、４）
【発明の開示】
【発明が解決しようとする課題】
【００１０】
近年、最も代表的なアモルファスＳｉ薄膜トランジスタ方式の液晶表示装置の製造工程は、透過型、反射型では５枚マスクの製造方法（５回の写真製版工程）、または、薄膜トランジスタの形成工程でハーフトーンマスクやグレイトーンマスクを使用した４枚マスクの製造方法（４回の写真製版工程）が主流になっている。これらの少ないマスクの製造方法では、走査配線と同一層と映像信号配線と同一層とを直接に接続することは困難で、他の導電層（例えば、最上層の画素電極と同一層）からなる変換配線を介して接続する必要があった。変換配線を使用しない場合は、走査配線と同一層と映像信号配線と同一層との間のゲート絶縁膜にコンタクトホールを空けて、直接に接続するためのマスクを追加する写真製版工程が必要であり、製造工程が増加した。
【００１１】
また、中・小型機種で屋外用途に採用される半透過型では、画素電極を透明導電膜からなる透過領域と、高反射膜からなる反射領域の２種類を形成する必要があるので、基本的に画素電極の製造工程が１工程増える。走査配線と同一層と映像信号配線と同一層とを直接に接続することに関しては、基本的に透過型、反射型と同様であり、他の導電層からなる変換配線を介して接続する必要があった。
【００１２】
このため、簡易点灯検査回路において、簡易点灯検査用共通配線を走査配線と同一層で形成し、各走査配線および各映像信号配線に接続された簡易点灯検査用薄膜トランジスタに、検査信号を供給する入力側配線を、画素の薄膜トランジスタと同様に映像信号配線と同一層で形成した場合、この入力側配線と簡易点灯検査用共通配線とを接続するには、上述のように、他の導電層からなる変換配線を介して接続する必要があった。
【００１３】
入力側配線と簡易点灯検査用共通配線とを変換配線を介して接続するためには、基本的に、絶縁膜に深さの異なる２つのコンタクトホールを空ける必要がある。すなわち、映像信号配線上には保護絶縁膜があり、走査配線上にはゲート絶縁膜と保護絶縁膜がある。４枚マスクまたは５枚マスクの製造方法で使用されるアモルファスＳｉの逆スタガ型の薄膜トランジスタ方式の液晶表示装置では、走査配線上の絶縁膜は、ゲート絶縁膜の厚さ分が、映像信号配線上の絶縁膜より厚い。このように、変換配線は、２つのコンタクトホールを介して接続するため、この２つのコンタクトホールを合わせた面積よりも大きな面積とする必要がある。従って、この変換配線によって簡易点灯検査回路の面積が大きくなるという課題があった。
【００１４】
または、簡易点灯検査用共通配線を映像信号配線と同一層で形成し、各走査配線および各映像信号配線に接続された簡易点灯検査用薄膜トランジスタに、検査信号を供給する入力側配線を、画素の薄膜トランジスタと同様に映像信号配線と同一層で形成した場合、同一層からなる簡易点灯検査用共通配線と入力側配線との交差部が複数生じるので、異なる検査信号の場合は短絡が生じるので、層構成的に無理である。交差部では、上述のように、他の導電層からなる変換配線を介して接続する必要があった。
【００１５】
また、近年、駆動回路素子の狭幅化が進んでおり、簡易点灯検査回路を、その直下の領域に検査端子を含めて全部を配置することが、次第に困難になってきている。あるいは、簡易点灯検査回路の一部を、駆動回路素子の実装領域とは異なる領域に配置すると、簡易点灯検査回路のその領域分だけ額縁幅が広くなるという課題を有していた。
【００１６】
特許文献１で開示された表示装置では、簡易点灯検査用共通配線と検査端子を額縁幅方向に並列に配置しているので、近年の駆動回路素子の狭幅化に対応が困難な構成になっている。また、簡易点灯検査回路の等価回路は示されているが、狭幅化しやすい簡易点灯検査回路の具体的な層構成の詳細は不明である。
【００１７】
本発明は、上記のような問題点を解決するためになされたものであり、製造工程の増加がなく、簡易点灯検査回路を有する額縁幅の狭い表示装置を提供することを目的とする。そして、簡易点灯検査回路の面積（幅）を小さくできる具体的な層構成を提供することを目的とする。
【課題を解決するための手段】
【００１８】
本発明における表示装置は、絶縁基板上に、複数の走査配線と、これに交差する複数の映像信号配線とに囲まれた領域からなる薄膜トランジスタと画素電極とを有する画素と、この画素がマトリクス状に配置された表示領域と、この表示領域外側の絶縁基板上の額縁領域に簡易点灯検査回路とを有し、この簡易点灯検査回路は、走査配線および映像信号配線のそれぞれに接続された簡易点灯検査用薄膜トランジスタを介して、複数の走査配線および映像信号配線のそれぞれに、所定の群で共通に接続する簡易点灯検査用共通配線とを有しており、この簡易点灯検査用共通配線の少なくとも1本は、映像信号配線よりも上層に絶縁膜を介して配置される画素電極を構成する層、またはその一部の層を有すると共に、走査配線または映像信号配線に簡易点灯検査用薄膜トランジスタを介して検査信号を供給する入力側配線と、この入力側配線上の絶縁膜に設けられたコンタクトホールを介して直接に接続されているものである。
【発明の効果】
【００１９】
本発明によれば、簡易点灯検査回路の面積（幅）を小さくでき、簡易点灯検査回路を有する額縁幅の小さい表示装置を得ることができる。
【発明を実施するための最良の形態】
【００２０】
以下、本発明の表示装置についての実施の形態を図面に基づいて説明する。なお、以下の実施の形態を説明するための各図において、同一符号は、同一または相当部分を示しているので、原則として重複する説明は省略する。
【００２１】
実施の形態１．
図１は、本発明の実施の形態１における表示装置の概略構成を示した平面図である。図２は、図１に示した映像信号配線側の簡易点灯検査回路の一部分を拡大した平面図である。図３は、図２におけるＡ−Ａ断面図である。図４は、図１に示した走査配線側の簡易点灯検査回路の一部分を拡大した平面図である。図５は、図４におけるＢ−Ｂ断面図である。なお、図１は、表示装置の概略構成を等価回路的に記載している。図２〜図５は、具体的な層構成を記載している。
【００２２】
実施の形態１は、表示装置が透過型の液晶表示装置１００の場合である。また、最も一般的な、アモルファスＳｉ薄膜トランジスタ方式の５枚マスクの製造方法で形成されたものとする。図１において、液晶表示装置１００は、複数の画素１０がマトリクス状に配置された表示領域４０を有するアレイ基板５０と、これに対向して対向基板（カラーフィルタ基板）５５が、樹脂製のスペーサ（図示せず）によって２〜５μｍ程度の隙間を空けて配置され、この隙間に液晶が注入された液晶パネルと、電源や画像処理回路等からなる外部回路等（図示せず）からなる。透過型の液晶表示装置１００では、液晶パネルの背面にバックライト（図示せず）を配置する。
【００２３】
透過型の液晶表示装置１００では、アレイ基板５０上の表示領域４０は、複数の走査配線（ゲート配線）１と、これに交差する複数の映像信号配線（ソース配線）２で囲まれる領域に、半導体膜等からなるスイッチ素子である薄膜トランジスタ３、ＩＴＯ（Ｉｎｄｉｕｍ  Ｔｉｎ  Ｏｘｉｄｅ）等の透明導電膜からなる画素電極４等で構成される画素１０が、マトリクス状に配置されている。アレイ基板５０は、この表示領域４０と、この外側の額縁領域４５から構成されている。走査配線１、および映像信号配線２は、Ａｌ、Ｃｕ、Ｍｏ、Ｔａ、Ｔｉ、Ｃｒ、Ｗ等の金属、あるいはこれらの合金、積層膜からなる金属膜で形成される。
【００２４】
また、マトリクス基板５０と対向基板５５は、それぞれ、外側には偏光板等（図示せず）が貼付されている。対向基板５５の液晶側（内側）には赤緑青（ＲＧＢ）の３原色のカラーフィルタが、縦ストライプ状に設けられ、さらにカラーフィルタ上（液晶側）の対向基板５５の全面に、ＩＴＯ等の透明導電膜からなる対向電極５が設けられている。
【００２５】
なお、カラーフィルタはＲＧＢの３原色とは限らず、他の原色構成や４原色以上でもよく、白黒表示ではカラーフィルタは不要である。
【００２６】
また、液晶表示装置１００の液晶駆動が、アレイ基板５０の表面に略平行な横電界（ＩＰＳ：Ｉｎ  Ｐｌａｎｅ  Ｓｗｉｔｃｈｉｎｇ）方式では、対向電極５はアレイ基板５０上に形成されるので、対向基板５５側には対向電極５はなくてもよい。
【００２７】
また、図１において、便宜上、画素１０は各原色で正方形に記載しているが、実際の液晶表示装置１００では、カラー表示の場合は、ＲＧＢの３原色の画素１０を３つ合わせて正方形とする構成が多く、また、この３原色を合わせたものを画素と呼び、各原色の最小単位を副画素(サブピクセル)と呼ぶ場合もある。本明細書では、各原色の最小単位を画素１０とする。
【００２８】
また、所定の群として、複数の走査配線１は、奇数番を走査配線１ｍ、偶数番を走査配線１ｎで区別している。複数の映像信号配線２は、カラーフィルタの３原色のＲＧＢに対応して、映像信号配線２ｒ、２ｇ、２ｂで区別している。また、以下の各部材の説明においても必要に応じて、奇数番、偶数番に対応して符号にｍ、ｎや、３原色のＲＧＢに対応して符号にｒ、ｇ、ｂを付加して、群を区別して記述している。
【００２９】
額縁領域４５には、複数の走査配線１や映像信号配線２の引き出し配線だけでなく、駆動回路素子６０の実装領域、簡易点灯検査回路７０の領域、外部回路と接続する複数の外部接続端子９０の領域等が設けられている。また、図示していないが、アレイ基板５０上には、各画素１０内に液晶電圧保持用に設けられる保持容量電極や、額縁領域４５には、この保持容量電極を共通に接続する保持容量共通配線や、対向基板４５上の対向電極５と電気接続をとるための接続パッド（ＩＰＳ方式は除く）が設けられている。
【００３０】
実施の形態１では、アレイ基板５０の下側１辺の額縁領域４５に、駆動回路素子６０、映像信号配線２側の簡易点灯検査回路７０、および外部接続端子９０等を配置して、他の３辺の額縁幅はこれより小さくなる構成としている。このような構成は、小型の液晶表示装置１００に多く採用されている。
【００３１】
また、駆動回路素子６０は、アレイ基板５０上に、直接、ＣＯＧ（Ｃｈｉｐ  Ｏｎ  Ｇｌａｓｓ）実装されている。ＣＯＧ実装は、半導体チップ（Ｓｉ素子）からなる駆動回路素子６０の実装面側に設けられた突起状の出力用および入力用バンプ電極（図示せず）と、アレイ基板５０上の、このバンプ電極に対応する位置に設けられた出力側端子６２、入力側端子６４とを、異方性導電性フィルム（ＡＣＦ：Ａｎｉｓｏｔｒｏｐｉｃ  Ｃｏｎｄｕｃｔｉｖｅ  Ｆｉｌｍ）を介して、直接に電気接続をとるものである。ＣＯＧ実装は、中・小型の液晶表示装置１００で多く使用されており、大型の表示装置で多く使用されるＴＡＢ（Ｔａｐｅ  Ａｕｔｏｍａｔｅｄ  Ｂｏｎｄｉｎｇ）実装のように、駆動回路素子６０を実装した樹脂フィルムを使用せずに、アレイ基板５０上に直接に駆動回路素子６０を実装するので、耐衝撃性に優れ、実装後の断線が少ない長所がある。また、樹脂フィルムの部材や、樹脂フィルム上にＳｉチップを実装する工程が必要ないので、ＴＡＢ実装より低コストにできる。
【００３２】
また、図１に示すように、１辺の額縁領域４５のみに駆動回路素子６０がＣＯＧ実装される場合、駆動回路素子６０の実装面積縮小と、低コスト化のために、走査配線１用と映像信号配線２用の駆動回路が一体となった駆動回路素子６０が使用されることが多くなっている。ここでは、駆動回路素子６０の左側が走査配線１用駆動回路で、右側が映像信号配線２用の駆動回路にほぼ対応する。もちろん、走査配線１用と映像信号配線２用の駆動回路素子６０が別々の構成でもかまわない。
【００３３】
さらに、ＣＯＧ実装領域側の額縁幅を小さくするために、駆動回路素子６０の幅も次第に小さくなっており、１ｍｍ幅以下のものが登場している。また、駆動回路素子６０の幅を小さくすることにより、１枚のＳｉ基板から取れる駆動回路素子６０の数が増えるので、駆動回路素子６０の低コスト化も同時に図ることができる。
【００３４】
しかし、駆動回路素子６０の幅が次第に小さくなると、従来のように、駆動回路素子６０の直下の領域に重畳して、アレイ基板５０上の出力側端子６２と入力側端子６４の間の領域に、簡易点灯検査回路７０の全部を配置することが次第に困難になる。図１では、映像信号配線２側の簡易点灯検査回路７０の主要部を、駆動回路素子６０の直下の領域に配置しているが、検査端子８１、８２、８５、８６は、駆動回路素子６０の実装領域の外に配置している。ここでは、駆動回路素子６０の右側の額縁領域４５に配置している。そして、検査端子８１、８２、８５、８６は、簡易点灯検査用の検査針との位置合わせを厳密にする必要がないように、出力側端子６２や入力側端子６４よりも大きな面積としている。
【００３５】
映像信号配線２側の簡易点灯検査用薄膜トランジスタ７３（７３ｒ、７３ｇ、７３ｂ）の簡易点灯検査用共通ゲート配線７１は、検査端子８５に接続される。原色毎に対応する簡易点灯検査用薄膜トランジスタ７３（７３ｒ、７３ｇ、７３ｂ）に共通に接続される簡易点灯検査用共通配線７４（７４ｒ、７４ｇ、７４ｂ）は、それぞれ検査端子８６（８６ｒ、８６ｇ、８６ｂ）に接続されている。
【００３６】
一方、走査配線１側の簡易点灯検査回路７０は、表示領域４０の右側の額縁領域４５に配置している。走査配線１（１ｍ、１ｎ）に対応して、簡易点灯検査用薄膜トランジスタ７２（７２ｍ、７２ｎ）の簡易点灯検査用共通ゲート配線１１（１１ｍ、１１ｎ）は、検査端子８１（８１ｍ、８１ｎ）に接続されている。簡易点灯検査用薄膜トランジスタ７２（７２ｍ、７２ｎ）の入力信号用の簡易点灯検査用共通配線１２は同一の検査端子８２に接続されている。このように、簡易点灯検査用共通配線１２に画素１０の薄膜トランジスタ３をＯＮにする信号を入力しても、簡易点灯検査用共通ゲート配線１１（１１ｍ、１１ｎ）によって、走査配線１の奇数番１ｍと偶数番１ｎに対応して、別々に簡易点灯検査用薄膜トランジスタ７２ｍ、７２ｎをＯＮ、ＯＦＦできるので、走査配線１ｍ、１ｎも別々にＯＮ、ＯＦＦできる。これにより、隣接する走査配線１ｍ、１ｎ間の短絡等を検査することができる。
【００３７】
なお、簡易点灯検査用の検査針の位置合わせが厳密にできるのであれば、検査端子８１、８２、８５、８６は、入力端子６２や出力端子６４と同程度の小さい面積でもよく、駆動回路６０の直下の領域に余裕があれば、検査端子８１、８２、８５、８６も、駆動回路素子６０の直下に、簡易点灯検査用共通ゲート配線７１や簡易点灯検査用共通配線７４の延在方向に並べて配置することもできる。
【００３８】
次に、本願発明の主要部である簡易点灯検査回路７０の層構成の作用、効果について映像信号配線２側について、図２、図３を用いて詳述する。また、走査配線１側について、図４、図５を用いて詳述する。
【００３９】
まず、映像信号配線２側の簡易点灯検査回路７０の層構成について詳述する。図２、図３に示すように、駆動回路素子６０の出力側バンプ電極とＣＯＧ接続される出力側端子６２は、映像信号配線２に接続されているだけでなく、対応する簡易点灯検査用薄膜トランジスタ７３の出力側配線６１に接続されている。簡易点灯検査用薄膜トランジスタ７３は画素１０の薄膜トランジスタ３と同時に形成される。簡易点灯検査用共通ゲート配線７１の上層には、ゲート絶縁膜７と半導体膜６が形成される。薄膜トランジスタ３や簡易点灯検査用薄膜トランジスタ７３を構成するする半導体膜６は、ここでは、島状にパターニングされている。簡易点灯検査用共通配線７４は、簡易点灯検査用薄膜トランジスタ７３の入力側配線６３と、原色毎に共通に接続されている。ここでは、ＲＧＢの３色の映像信号配線２（２ｒ、２ｇ、２ｂ）に対応して、簡易点灯検査用薄膜トランジスタ７３（７３ｒ、７３ｇ、７３ｂ）が設けられ、原色毎に対応する簡易点灯検査用共通配線７４（７４ｒ、７４ｇ、７４ｂ）に共通に接続されている。簡易点灯検査用薄膜トランジスタ７３（７３ｒ、７３ｇ、７３ｂ）の共通のゲート電極となる簡易点灯検査用共通ゲート配線７１は走査配線１と同一層で形成されている。
【００４０】
また、出力側端子６２の表面は画素電極４と同一層の透明な酸化物導電膜で形成され、保護絶縁膜８に設けられたコンタクトホール６８を介して、出力側端子６２の下層の金属膜と直接に接続されている。出力側端子６２の下層の金属膜は、映像信号配線２が延在した同一層で形成されている。さらに、出力側端子６２の下層の金属膜はさらに延在して簡易点灯検査用薄膜トランジスタ７３の出力側配線６１にもなっている。簡易点灯検査用薄膜トランジスタ７３の入力側配線６３も、映像信号配線２と同一層で形成されている。
【００４１】
一般に、端子表面は、ＩＴＯ等からなる酸化物導電膜の方が、金属膜よりも接続抵抗の安定性、耐腐食性に優れ、端子の信頼性に優れている。このため、実施の形態1では、出力側端子６２だけでなく、アレイ基板５０上に形成される、入力側端子６４、外部接続端子９０、検査端子８１、８２、８５、８６等の各種端子の表面を、画素電極４と同一層のＩＴＯ等の酸化物導電膜で形成している。
【００４２】
ここで、映像信号配線２側の簡易点灯検査用薄膜トランジスタ７３の入力側配線６３は、ＲＧＢの原色毎に対応する簡易点灯検査用共通配線７４ｒ、７４ｇ、７４ｂに共通に接続されるが、アレイ基板５０の端部に近い、最も外側の簡易点灯検査用共通配線７４ｂ（ここではＢの原色となっているが、この原色はＲＧＢのいずれでもよい）は、簡易点灯検査用薄膜トランジスタ７３ｂの入力側配線６３が、さらにＴ字状に延在してＢの原色の入力側配線６３同士が繋がったもので、映像信号配線２と同一層で形成されている。そして、他の原色の内側の簡易点灯検査用共通配線７４ｒ、７４ｇは、画素電極４と同一層からなる酸化物導電膜、または積層構造の場合は少なくともこれを構成する一部の層から形成され、入力側配線６３上の保護絶縁膜８に設けられたコンタクトホール７８を介して、入力側配線６３と直接に接続されている。
【００４３】
すなわち、簡易点灯検査用共通配線７４は、走査配線１と同一層で形成されていないので、映像信号配線２と同一層からなる入力側配線６３との接続に、最も一般的な５枚マスク工程、または、グレイトーン（ハーフトーン）マスクを使用した４枚マスク工程の製造方法においても、変換配線を介して接続する必要がない。また、アレイ基板５０の端部に近い、最も外側の簡易点灯検査用共通配線７４ｂは、入力側配線６３が延在した同一層で形成されているのでコンタクトホールを必要としない。従って、映像信号配線２側の簡易点灯検査回路７０においては、全ての入力側配線６３と、簡易点灯検査用共通配線７４との接続に、画素電極４からなる変換配線がないので、変換配線を設ける面積は必要ない。また、製造工程の増加もなく、映像信号配線２側の簡易点灯検査用回路７０の幅を小さくすることができる。
【００４４】
また、透過型の液晶表示装置１００では、画素電極４はＩＴＯ等の透明導電膜であり、酸化物導電膜である。一方、簡易点灯検査用薄膜トランジスタ７３の入力側配線６３と同一層の映像信号配線２は、Ａｌ、Ｃｕ、Ｍｏ、Ｔａ、Ｔｉ、Ｃｒ、Ｗ等の金属、あるいはこれらの合金、積層膜からなる金属膜からなるので、通常は酸化物導電膜よりも比抵抗は小さい。よって、最も外側の簡易点灯検査用共通配線７４ｂの配線幅は、他の内側の簡易点灯検査用共通配線７４ｒ、７４ｇと同じ抵抗値ならば、これらの配線幅よりも小さくすることができるので、さらに簡易点灯検査用回路７０の幅を小さくすることができる。また、入力側配線６３との接続用のコンタクトホールが必要ないので信頼性にも優れる。
【００４５】
次に、走査配線１側の簡易点灯検査回路７０の層構成について詳述する。図４、図５に示すように、奇数番と偶数番の走査配線１ｍ、１ｎに対応して、簡易点灯検査用薄膜トランジスタ７２ｍ、７２ｎと、共通ゲート配線１１ｍ、１１ｎとを有する。簡易点灯検査用薄膜トランジスタ７２ｍ、７２ｎは、画素１０の薄膜トランジスタ３と同時に形成される。現在、最も一般的な５枚マスク工程、または、グレイトーン（ハーフトーン）マスクを使用した４枚マスク工程の製造方法において、走査配線１と映像信号配線２と同一層からなる簡易点灯検査用薄膜トランジスタ７２の出力側配線１３との接続には、２つのコンタクトホール１６、１８を介する変換配線１５が必要である。しかし、変換配線１５を設ける位置は、映像信号配線２側の簡易点灯検査回路７０の入力側配線６３と簡易点灯検査用共通配線７４との接続とは異なり、配置の制約が少ない。すなわち、変換配線１５は、表示領域４０より外の走査配線１と走査配線１側の簡易点灯検査回路７０との間の領域であれば、比較的自由な位置に配置できる。例えば、液晶を封止する表示領域４０の周囲のシール部、または、周囲の遮光膜等の領域に配置することができる。このため、走査配線１側の簡易点灯検査回路７０においては、変換配線１５は、表示領域４０の右側の額縁幅の増加には殆ど影響しない。また、実施の形態１では、走査配線１側の簡易点灯検査回路７０の主要部は、駆動回路素子６０の実装領域の側にないので、駆動回路素子６０の狭幅化の制約を受けない利点がある。
【００４６】
なお、入力側配線１４、および簡易点灯検査用共通配線１２は、映像信号配線２側の簡易点灯検査回路７０の、アレイ基板５０の端部に近い、最も外側の簡易点灯検査用共通配線７４ｂと同様な層構成することができる。すなわち、簡易点灯検査用共通配線１２は、映像信号配線２と同一層で構成できる。従って、入力側配線１４と簡易点灯検査用共通配線１２の接続には、変換配線もコンタクトホールも必要ない。また、簡易点灯検査用共通配線１２は、映像信号配線２と同一層からなるので比抵抗も小さく、簡易点灯検査用共通配線１２の配線幅を、画素電極４と同一層で構成するよりも小さくできる。
【００４７】
以上のように、実施の形態1では、走査配線１側の簡易点灯検査回路７０は、簡易点灯検査用共通ゲート配線１１ｍ、１１ｎと、簡易点灯検査用共通配線１２の３本の配線と、変換配線１５を設ける必要があるので、表示領域４０の右側の額縁幅は多少大きくなる。しかし、ＣＯＧ実装領域や外部接続端子９０が設けられた表示領域４０の下側の額縁幅に比較すれば大幅に小さく、また、走査配線１の引き出し配線が多数本配置される表示領域４０の左側の額縁幅に比較しても、表示領域４０の右側の額縁幅は小さいので、走査配線１側の簡易点灯検査回路７０による額縁幅の増加は殆ど問題にならない。
【００４８】
実施の形態２．
図６は、本発明の実施の形態２における液晶表示装置の映像信号配線側の簡易点灯検査回路の一部分を拡大した平面図である。図７は、図６におけるＣ−Ｃ断面図である。図８は、本発明の実施の形態２における液晶表示装置の走査配線側の簡易点灯検査回路の一部分を拡大した平面図である。図９は、図８におけるＤ−Ｄ断面図である。
【００４９】
実施の形態２では、液晶表示装置１００が透過型でなく、反射型または半透過型の場合である。液晶表示装置１００の概略構成は、図１と同等である。実施の形態１と異なる点は、反射型の液晶表示装置１００では、画素電極４が、酸化物導電膜でなく、反射率の高いＡｌ、Ａｇ等の金属、あるいはこれらの合金の単層膜、または、これに加えてＩＴＯ、Ｍｏ、Ｔａ、Ｔｉ、Ｃｒ、Ｗ等との積層膜からなる導電膜で構成される点である。Ａｌ、Ａｇあるいはこれらの合金は比抵抗も小さいので、画素電極４を構成する層は、走査配線１や映像信号配線２と同等かそれ以下の小さい比抵抗とすることができる。
【００５０】
また、半透過型の液晶表示装置１００では、画素電極４の透過領域は透過型と同じ透明性の酸化物導電膜で構成され、画素電極４の反射領域は上述の反射型と同様な導電膜で構成される。このように、反射型または半透過型の液晶表示装置１００の場合は、図６、図７に示すように、映像信号配線２側の簡易点灯検査用共通配線７４（７４ｒ、７４ｇ、７４ｂ）を、画素電極４を構成する導電膜の全部、またはその一部の層で形成して、入力側配線６３上の保護絶縁膜８上に形成されるコンタクトホール２８を介して直接に接続している。
【００５１】
例えば、半透過型の液晶表示装置１００では、簡易点灯検査用共通配線７４ｒ、７４ｇは、反射領域で使用されるＡｌ、Ａｇ等の金属、あるいはこれらの合金の単層膜、または、これに加えてＩＴＯ、Ｍｏ、Ｔａ、Ｔｉ、Ｃｒ、Ｗ等との積層膜からなる導電膜で構成されるので、比抵抗が透過領域で使用される酸化物導電膜よりも小さい。また、簡易点灯検査用共通配線７４を、画素電極４の透過領域の酸化物導電膜と、反射領域の導電膜との積層構成にすると、さらに比抵抗が小さくできる。よって、簡易点灯検査用共通配線７４ｒ、７４ｇの幅は、酸化物導電膜で形成される実施の形態１に比較して小さくできる。従って、さらに簡易点灯検査回路７０の幅を小さくすることができる。
【００５２】
また、実施の形態２では、アレイ基板５０の端部に近い、最も外側の簡易点灯検査用共通配線７４ｂも、簡易点灯検査用共通配線７４ｒ、７４ｇと同じ導電膜で形成している。これは、反射型または半透過型の液晶表示装置１００の場合は、簡易点灯検査用共通配線７４ｂの比抵抗が、上述のように、走査配線１や映像信号配線２と同等か、それ以下にできるためである。
【００５３】
もちろん、最も外側の簡易点灯検査用共通配線７４ｂは、実施の形態１と同様に、コンタクトホール２８を設ける必要がない入力側配線６３と同一層で形成してもよい。
【００５４】
また、半透過型の液晶表示装置１００の場合、簡易点灯検査用共通配線７４は、画素電極４の反射領域の金属膜と、透過領域の酸化物導電膜との積層構成とするとよい。簡易点灯検査用共通配線７４の表面が、酸化物導電膜となる積層構成にすると、出力側端子６２、入力側端子６４、外部接続端子９０、検査端子８１、８２、８５、８６等の各種端子の表面が、そのまま酸化物導電膜になるので、製造工程の追加は必要ない。また、簡易点灯検査用共通配線７４の耐腐食性も向上する。
【００５５】
簡易点灯検査用共通配線７４の表面が酸化物導電膜でなく、下層側が酸化物導電膜である積層膜の場合は、各種端子の表面が、画素電極４の透過領域と同一層の酸化物導電膜となるようにするとよい。例えば、検査端子８６では、簡易点灯検査用共通配線７４を構成する積層膜の上層の金属膜を除去して、酸化物導電膜が露出するようにするとよい。
【００５６】
次に、走査配線１側の検査回路７０について詳述する。走査配線１側の簡易点灯検査回路７０は、実施の形態１と同様に、右側の額縁領域４５に設けられている。図８、図９において、実施の形態１と異なる点は、簡易点灯検査用共通配線１２が、実施の形態２の、映像信号配線２側の簡易点灯検査用共通配線７４と同様に、画素電極４の反射領域の金属膜、または、これに加えて透過領域の酸化物導電膜との積層膜で構成されている点である。そして、入力側配線１４の上の保護絶縁膜８に設けられたコンタクトホール１９を介して、入力側配線１４に直接に接続されている。そして、簡易点灯検査用共通配線１２は、検査端子８２に接続されている。
【００５７】
このように、反射型または半透過型の液晶表示装置１００では、簡易点灯検査用共通配線１２、７４を、画素電極４を構成する導電膜の全部、またはその一部の層で形成すれば、比抵抗が小さいので配線幅を小さくでき、透過型に比較して簡易点灯検査回路７０の幅をさらに小さくすることができる。
【００５８】
実施の形態３．
図１０は、本発明の実施の形態３における液晶表示装置の概略構成を示す平面図である。実施の形態１、２では、走査配線１側の簡易点灯検査回路７０の主要部は画素領域４０の右側の額縁領域４５に配置されていたが、実施の形態３では、走査配線１側の簡易点灯検査回路７０の主要部も駆動回路素子６０の直下の領域に重畳して配置されている。また、実施の形態３では、走査配線１用の簡易点灯検査用薄膜トランジスタ７２は偶数番、奇数番で分けていない。また、走査配線１用と映像信号配線２用の簡易点灯検査用薄膜トランジスタ７２、７３の簡易点灯検査用共通ゲート配線７５は、共通にして１本としている。従って、実施の形態１、２に比較して、走査配線１側の簡易点灯検査用共通ゲート配線１１ｍ、１１ｎや、これに接続される検査端子８１ｍ、８１ｎが不要となり、簡易点灯検査用共通配線数２本と検査端子数２個を減らすことができる。
【００５９】
実施の形態３では、走査配線１用と映像信号配線２用の簡易点灯検査用共通ゲート配線７５に接続された検査端子８７と、簡易点灯検査用共通配線７４に接続された検査端子８６は駆動回路素子６０の右側に配置している。また、走査配線１側の簡易点灯検査用共通配線１２に接続された検査端子８２は、駆動回路素子６０の左側に配置している。もちろん、駆動回路素子６０の領域に余裕があれば、これらの検査端８２、８６、８７を、駆動回路素子６０の直下の領域に配置してもよい。
【００６０】
または、検査端子８２は、駆動回路素子６０の領域に余裕があれば、簡易点灯検査用共通配線１２を右側に延在させて、他の検査端子８６、８７と同一の側にまとめる方が、検査針を構成する観点からは望ましい。
【００６１】
なお、簡易点灯検査時以外の実使用時は、簡易点灯検査用薄膜トランジスタ７２、７３がＯＦＦ状態になるように、検査端子８７にはゲートＯＦＦ電位を供給する。
【００６２】
このように、走査配線１側および映像信号配線２側の簡易点灯検査回路７０の殆どを、駆動回路素子６０の直下の領域に重畳して配置することで、実施の形態１、２と比較して、表示領域４０の右側の額縁幅を小さくできる。また、駆動回路素子６０の領域のある下側の額縁幅の増加もなくすことができる。
【００６３】
以上、実施の形態１〜３において、映像信号配線２側の簡易点灯検査用共通配線７４は、ＲＧＢの３原色に対応して３本の簡易点灯検査用共通配線７４ｒ、７４ｇ、７４ｂの３つの群としたが、例えば、映像信号配線２側の簡易点灯検査用共通配線７４も、原色毎に奇数番と偶数番を区別して６本の群構成にしてもよい。このように、走査配線１側、映像信号配線２側の簡易点灯検査用共通配線１２、７４は、その本数を増やせば、簡易点灯検査回路７０の幅が増加し、検査端子数も増加するが、本願発明の層構成では、少ない幅の増加に抑制できる。そして、より複雑な検査画像を表示できるようになるので、より詳細な簡易点灯検査ができる利点がある。
【００６４】
なお、表示装置１００は、液晶表示装置に限らず、簡易点灯検査回路７０を有する表示装置であれば、自発光型のＥＬ、ＦＥＤ等や、微粒子や油滴を用いた反射型の電子ペーパー等にも適用できる。自発光型の表示装置１００や、反射型の表示装置１００の場合は、バックライトは不要となる。
【図面の簡単な説明】
【００６５】
【図１】本発明の実施の形態１における表示装置の概略構成を示す平面図である。
【図２】本発明の実施の形態１における表示装置の映像信号配線側の簡易点灯検査回路の一部分を拡大した平面図である。
【図３】図２のＡ−Ａ断面を示す断面図である。
【図４】本発明の実施の形態１における表示装置の走査配線側の簡易点灯検査回路の一部分を拡大した平面図である。
【図５】図４のＢ−Ｂ断面を示す断面図である。
【図６】本発明の実施の形態２における表示装置の映像信号配線側の簡易点灯検査回路の一部分を拡大した平面図である。
【図７】図６のＣ−Ｃ断面を示す断面図である。
【図８】本発明の実施の形態２における表示装置の走査配線側の簡易点灯検査回路の一部分を拡大した平面図である。
【図９】図４のＤ−Ｄ断面を示す断面図である。
【図１０】本発明の実施の形態３における表示装置の概略構成を示す平面図である。
【符号の説明】
【００６６】
１、１ｍ、１ｎ  走査配線
２、２ｒ、２ｇ、２ｂ  映像信号配線
３  薄膜トランジスタ
４  画素電極
５  対向電極
６  半導体膜
７  ゲート絶縁膜
８  保護絶縁膜
１０  画素
１１、１１ｍ、１１ｎ  簡易点灯検査用共通ゲート配線
１２  簡易点灯検査用共通配線
１３  出力側配線
１４  入力側配線
１５  変換配線
１６，１８，１９  コンタクトホール
２８  コンタクトホール
４０  表示領域
４５  額縁領域
５０  アレイ基板
５５  対向基板
６０  駆動回路素子
６１  出力側配線
６２  出力側端子
６３  入力側配線
６４  入力側端子
６６、６８  コンタクトホール
７０  簡易点灯検査回路
７１  簡易点灯検査用共通ゲート配線
７２、７２ｍ、７２ｎ  簡易点灯検査用薄膜トランジスタ
７３、７３ｒ、７３ｇ、７３ｂ  簡易点灯検査用薄膜トランジスタ
７４、７４ｒ、７４ｇ、７４ｂ  簡易点灯検査用共通配線
７５  簡易点灯検査用共通ゲート配線
７８  コンタクトホール
８１、８２、８５、８６、８７  検査端子
９０  外部接続端子
１００  液晶表示装置
【図１】
2010102237.tif 000003
【図２】
2010102237.tif 000004
【図３】
2010102237.tif 000005
【図４】
2010102237.tif 000006
【図５】
2010102237.tif 000007
【図６】
2010102237.tif 000008
【図７】
2010102237.tif 000009
【図８】
2010102237.tif 000010
【図９】
2010102237.tif 000011
【図１０】
2010102237.tif 000012